(57)【特許請求の範囲】
【請求項１】
コマ玩具と、該コマ玩具の動作態様を遠隔操作で変化させるリモートコントローラ装置との組合せからなる、以下の要件を備えることを特徴とする遠隔制御コマ玩具。
（イ））上記コマ玩具にはモータが配置され、該モータは上記リモートコントローラ装置から発信される制御信号により正逆回転制御されること
（ロ）上記コマ玩具の軸体は玩具本体の底部に回転自在に軸支されるとともに上記モータのモータ軸に連動して回転すること
【請求項２】
前記コマ玩具の軸体は上下方向の衝撃を緩和する緩衝機構を備えた、請求項１記載の遠隔制御コマ玩具。
【請求項３】
前記コマ玩具は上面が凹面鏡状に湾曲して形成されたスタジアム装置で他のコマ玩具と対戦する、請求項１又は２記載の遠隔制御コマ玩具。
【請求項４】
前記リモートコントローラ装置に前記コマ玩具に初期回転を付与するスターター機構を設けた、請求項１、２又は３記載の遠隔制御コマ玩具。
【請求項５】
前記コマ玩具は、該玩具本体の上面に他のコマ玩具を攻撃する攻撃用リングを着脱可能に配置し、該攻撃用リングには少なくとも２つの張出し部を周方向に等間隔に突出形成した、請求項１、２、３又は４記載の遠隔制御コマ玩具。
【発明の詳細な説明】
【０００１】
【発明の属する技術分野】
本発明は、遠隔制御コマ玩具、詳しくは回転するコマ玩具の動作特性を遠隔操作で変化させることができる遠隔制御コマ玩具に関する。
【０００２】
【従来の技術】
従来、複数のコマ玩具を遊戯台上で回転させるとともに、コマ玩具同士をぶつけ合って格闘させるコマ遊びが多くのユーザーに受け入れられ、そのコマ玩具の形状や機能を変えて遊ぶコマ遊びが普及している。
【０００３】
【発明が解決しようとする課題】
しかしながら、従来のコマ玩具はプレイヤーの手を離れるとプレイヤーの介在する余地はなくただゲームの展開を見守るだけであった。
【０００４】
本発明は上記問題点を解消し、スタジアム上で回転しているコマ玩具の動作態様を遠隔操作で制御し、動作態様を自由に変化させることができる遠隔制御コマ玩具を提供することをその課題とする。
【０００５】
【課題を解決するための手段】
前記課題を解決するため、本発明に係る遠隔制御コマ玩具は、コマ玩具と、該コマ玩具の動作態様を遠隔制御するリモートコントローラ装置との組合せからなる、以下の要件を備えることを特徴とする。
（イ）上記コマ玩具にはモータが配置され、該モータは上記リモートコントローラ装置から発信される制御信号により正逆回転制御されること
（ロ）上記コマ玩具の軸体は玩具本体の底部に回転自在に軸支されるとともに上記モータのモータ軸に連動して回転すること
【０００６】
なお、前記コマ玩具の軸体は上下方向の衝撃を緩和する緩衝機構を備え、モータに衝撃が加わらないようにすることが好ましい。
【０００７】
また、前記コマ玩具は上面が凹面鏡状に湾曲して形成されたスタジアム装置で他のコマ玩具と対戦させることが好ましい。
【０００８】
そして、前記リモートコントローラ装置に前記コマ玩具に初期回転を付与するスターター機構を設けてもよい。
【０００９】
さらに、前記コマ玩具は、該玩具本体の上面に他のコマ玩具を攻撃する攻撃用リングを着脱可能に配置し、該攻撃用リングには少なくとも２つの張出し部を周方向に等間隔に突出形成し、対戦相手のコマ玩具に対する攻撃力を増すようにしてもよい。
【００１０】
【発明の実施の形態】
図１は、本発明に係る遠隔制御コマ玩具の構成の一例を説明する斜視図を示し、この遠隔制御コマ玩具はコマ玩具１と、このコマ玩具１を回転させて遊ぶスタジアム２と、コマ玩具１の動作態様を遠隔制御するリモートコントローラ装置３とから構成され、リモートコントローラ装置３はコマ玩具１に初期回転を与えるスターター機構４を備えたものである。
【００１１】
スタジアム２は上面が凹面鏡状に下方に湾曲して形成された遊戯面５を備えたもので、コマ玩具１の回転速度が高ければ回転しながら遊戯面上を外周方向に向かって移動し、コマ玩具１の回転速度が低ければ遊戯面状の中央に向かって移動できるようにしたものである。
【００１２】
コマ玩具１は、図２に示すように、ベース部材１１に軸支持体１０と蓋体１２とを組み付けて一体にしたもので、コマ玩具１には攻撃用リング１３を着脱自在に設けたものである。
【００１３】
軸支持体１０は分割支持体１０ａ、１０ｂを合体させることにより略円筒状に形成され、内部に後述するモータ２０と緩衝機構２５とを収容できるようになっているもので、周面下部には張り出し部１５、１５がそれぞれ張り出し形成され、軸支持体１０をベース部材１１の下方から挿入し、張り出し部１５、１５がベース部材１１の底面に当接した状態でネジ２９によりベース部材１１に固定できるようになっている。
【００１４】
軸支持体１０の上端両側面には切り欠き部１６、１６が形成され、この切り欠き部１６の下部には支持片１７が形成され、切り欠き部１６の周面には平面から見て反時計方向に、互いに他の切り欠き部１６の近傍まで続く取付溝１８が形成されている。
【００１５】
図３に示すように、軸支持体１０の内部にはモータ２０を収容する第１の収容部２１と、緩衝機構２５を収容する第２の収容部２６とが形成されている。
【００１６】
緩衝機構２５は、軸体２２とコイルスプリング２３とコイルスプリング２３を軸体２２に保持する保持部材２４とで構成され、軸体２２の上面には保持部材２４の軸部２７を差し込む差込穴２８が形成され、保持部材２４に対し軸体２２が上下動できるようになっている。
【００１７】
軸体２２の上部は外方に膨出して鍔部３０が形成され鍔部３０にはコイルスプリング２３の下部を収容するリング状の収容溝３１が形成されるとともに、保持部材２４に形成されたフック３２が挿通される挿通孔３３が収容溝３１の両端に連接して形成され、この挿通孔３３は鍔部３０を貫通して鍔部３０の下面に開口している。
【００１８】
保持部材２４は、コイルスプリング２３の径よりやや大きい径の円板３５の下面中央から軸部２７が下方に突出形成されるともに、円板３５の両端部からフック３２、３２が下方に突出形成されるとともにフック３２、３２に直交して突片３４、３４下方に突出形成され、この突片３４、３４がコイルスプリング２３の上端に係合し、コイルスプリング２３の上端が円板３５からずれないように保持している。
【００１９】
そして、円板３５の上面中心には嵌合孔３６が軸部２７内部まで形成されている。この嵌合孔３６にはモータ２０のモータ軸３７の先端が嵌合し、モータ軸３７の回転とともに緩衝機構２５（軸体２２）が回転するようになっている。
【００２０】
緩衝機構２５は、先ず軸体２２の収容溝３１にコイルスプリング２３の下端を収容し、フック３２、３２の位置を挿通孔３３、３３に合わせて保持部材２４の軸部２７の先端を軸体２２の差込穴２８に差し込み、コイルスプリング２３を圧縮しながら、フック３２、３２の先端が軸体２２の鍔部３０を貫通するまで保持部材２４を軸体２２に押し込む。フック３２、３２の先端３２ａ、３２ａが差込穴２８を貫通すると、先端３２ａ、３２ａが鍔部３０の下面に係合し、コイルスプリング２３を圧縮した状態で軸体２２と保持部材２４が一体に組みつけられ、緩衝機構２５が形成される（図４参照）。
【００２１】
上記モータ２０と緩衝機構２５とはモータ軸３７の先端を保持部材２４の嵌合穴３６に嵌合させた状態で一体に構成されているので、分割支持体１０ａ、１０ｂを結合させる際、軸体２２に座金４０を装着し、座金４０を軸支持体１０の係合溝４１に係合させた状態でモータ２０を第１の収容部２１に、緩衝機構２５を第２の収容部２６にそれぞれ収容されるようにして、分割支持体１０ａ、１０ｂを合体させた状態で後述するベース部材１１の下方から挿入し、ベース部材１１の底面に張り出し部１５が当接した状態で下側からネジ２９で緩衝機構２５をベース部材１１に固定すればよい。
【００２２】
上記軸体２２に下方から衝撃を加えると、軸体２２はコイルスプリング２３を圧縮させながら上動して衝撃をコイルスプリング２３で吸収するのでモータ２０のモータ軸３７に直接衝撃が伝わらないようにしている。
【００２３】
ベース部材１１は上面が全面開口するとともに底面中央が開口した薄円筒状に形成され、中央開口部４４周縁には円弧状の内壁４５、４５が対向して形成され、この内壁４５の両端部には上記緩衝機構２５を開口部４４の下方から挿入したときに円筒状の状態で挟持する挟持突部４６、４６が突出形成されている。
【００２４】
そして、挟持突部４６と外壁４７との間には回路ユニット４８と、二次電池（ニッカド電池）４９を収容する収容部５０、５１とがそれぞれ形成されている。さらに、ベース部材１１の底面には２つの電極５２、５２が露出するように配置されている（図５参照）。この電極５２、５２はニッカド電池４９を充電する際に使用するもので、後述するリモートコントローラ装置３に設けられた充電端子５３、５３に接触させることができるようになっている。
【００２５】
蓋体１２は、中央が開口した円板状又は多角形状に形成され、内縁部には内側に突出する１対の張出し片５５、５５が対向形成され、各張出し片５５の内縁部は円弧状で、上記軸支持体１０に嵌り合う大きさに設定されている。この蓋体１２はベース部材１１に重ねた状態で、皿ネジ５６をベース部材１１のネジ孔５７にねじ込むことによって回路ユニット４８と、ニッカド電池４９を収容した状態で固定される。
【００２６】
攻撃リング１３は中央が円形に開口した円板状部材で周面から外方に等間隔に対戦相手のコマ玩具を攻撃する張り出し部６０が等間隔に形成され、開口部の内側には１対の張出し片６１、６１が対向形成され、各張出し片６１、６１の内縁部は円弧状で、上記軸支持体１０に嵌り合う大きさに設定されている。上記張出し片６１の内縁部の中央には係止片６２が突出形成されている。そして、係止片６２間の距離は、上記軸支持体１０の切り欠き部１６間の距離に略等しくなるように設定されている。
【００２７】
図６（ａ）（ｂ）はリモートコントローラ装置３の正面図及び平面図を示し、このリモートコントローラ装置３は装置本体７０が片手で握ることができるようにグリップ部７１を備えたピストル状に形成され、引き金状の操作部７２が引き操作可能に配置され、後端にはダイヤル７３が回動可能に配置されている。このリモートコントローラ装置３はダイヤル７３を右回転させながら操作部７２を引き操作するとモータ２０を右回転させる制御信号が発信され、ダイヤル７３を左回転させながら操作部７２を引き操作するとモータ２０を左回転させる制御信号が発信されるようになっている。
【００２８】
さらに、このリモートコントローラ装置３にはコマ玩具１に初期回転を与えるスターター機構４が配置されている。このスターター機構４は公知のスターター機構で構成されていればよい。このスターター機構４は装置本体７０の右側面に前後に貫通した挿通孔７４に差し込んだラックベルト７５に歯車（図示せず）が噛合し、ラックベルト７５の引き操作で歯車を回転させ、この歯車に連係して装置本体７０の側面に配置された回転板７６を高速で回転させるようになっているもので、ラックベルト７５が完全に装置本体７０から引き抜かれると図示しないラチェットが歯車に噛み込んで回転板７６の回転を瞬時に停止させるようになっているものである。
【００２９】
上記回転板７６にはコマ玩具１を挟持する２枚の挟持片７７、７７が突出形成され、回転板７６をラックベルト７５で回転させることにより挟持したコマ玩具１を高速で回転させることができるようになっており、回転板７６が急停止すると慣性で回転するコマ玩具１は挟持片７７から離脱し、独立して回転するようになっている。
【００３０】
図７（ａ）（ｂ）は、コマ玩具１とリモートコントローラ装置３との電気的構成を示すブロック図で、制御回路８０はコマ玩具１のモータ２０の回転を遠隔制御する制御信号を作成するもので、引き金を模した操作部７２を引き操作することによりＯＮするスイッチ８１と、装置本体７０の後端に配置されたダイヤル７３を右左に回動することによりＯＮするスイッチ８２、８３と、上記スイッチ８１とスイッチ８２、８３の組合せによりモータ２０を正逆回転させる制御信号を作成し、作成された制御信号はアンテナ８４から発信されるようになっている。
【００３１】
リモートコントローラ装置から発信されたバースト信号はコマ玩具１のアンテナ８６で受信され、受信回路８７でモータドライバー８８を制御する信号に変換され、モータドライバー８８によってモータ２０の正逆回転が制御されるようになっている。
【００３２】
なお、制御信号の送受信は無線によるラジオコントロールを用いているが、アンテナに代えて発信側に赤外線ＬＥＤ、受信側に受光素子（フォトダイオード）を用いた赤外線リモートコントロールであってもよい。
【００３３】
そして、本体の前面のカバー８９を開けると充電端子５３、５３が露出するようになっており、コマ玩具１の裏面に設けられた電極５２、５２を上記充電端子５３、５３に接触させると、リモートコントローラ装置３のバッテリー８５でコマ玩具１のニッカド電池４９を充電できるようになっている。
【００３４】
上記構成の遠隔制御コマ玩具によれば、コマ玩具１のニッカド電池４９を充電した後、リモートコントローラ装置３にセットし、ラックベルト７５を装置本体７０の挿通孔７４に充分に差し込んだ後、コマ玩具１がスタジアム２の遊戯面５に対面するようにリモートコントローラ装置３を横に倒した状態に保持し、勢いよくラックベルト７５を引き操作する。
【００３５】
ラックベルト７５の引き操作に連係して回転板７６が高速で回転するので回転板７６に設けられた挟持片７７、７７で挟持されたコマ玩具１は回転板７６と一体で回転する。ラックベルト７５が装置本体７０の挿通孔７４から完全に引き抜かれると回転板７６は急停止するため、慣性で回転するコマ玩具１は挟持片７７、７７から回転しながら離脱し、スタジアム２の遊戯面５上に落下し、遊戯面５上で継続して回転する。
【００３６】
コマ玩具１が遊戯面５に落下したとき、軸体２２にコマ玩具１全ての重量が掛かり、軸体２２は大きな衝撃を受けることになるが、コイルスプリング２３が衝撃を吸収してモータ２０のモータ軸３７に直接衝撃が伝わることはないので、衝撃によりモータ２０が破損するなどのトラブルを未然に防止することができる（図８（ａ）（ｂ）参照）。
【００３７】
そして、コマ玩具１はスタジアム２の凹面鏡状に湾曲した遊戯面５上を回転しているが、軸体２２の先端はフラットに形成されており、コマ玩具１はジャイロ効果で垂直に立っているので、軸体２２の先端部の角が遊戯面５に接触することになり、軸体２２の先端部周縁が小さな車輪のような機能を発揮し、コマ玩具１は回転しながら遊戯面５上を円弧を描きながら移動（公転）する。この移動は回転数が高ければ高いほど大きな円弧を描いて移動することになる。
【００３８】
このとき、右回転するコマ玩具１の場合には、ダイヤル７３を右方向に回転させた状態で引き金７２を引き操作すると、引き金７２を引いている時間だけモータ２０を右回転（モータ２０の回転方向がコマ玩具と同一方向）させる制御信号が発信されるので、モータ２０のモータ軸３７に連係して軸体２２は高速で右回転し、コマ玩具１全体の回転速度は増速し、さらに速く大きな径で反時計方向に公転移動するようになり、遊戯面５の外側に向かって移動するようになる（図９（ａ）参照）。
【００３９】
一方、ダイヤル７３を左回転させた状態で引き金７２を引き操作すると、引き金を引いている時間だけモータ２０を左回転（モータ２０の回転方向がコマ玩具と逆方向）させる制御信号が発信されるので、モータ２０のモータ軸３７に連係して軸体２２は左回転しコマ玩具１は小さな径で公転移動するようになり、遊戯面５の中心に向かって移動するようになる（図９（ｂ）参照）。
【００４０】
なお、引き金７２の引き操作によりコマ玩具の回転速度と回転軸体の逆回転速度とを同じにすれば移動が停止し、回転軸体の逆回転速度がコマ玩具の回転速度より大きいときには右公転移動させることができる。
【００４１】
また、初期回転が左回転のコマ玩具の場合は、ダイヤル７３を左方向に回転させた状態で引き金７２を引き操作すると、引き金７２を引いている時間だけモータ２０を左回転（モータ２０の回転方向がコマ玩具と同一方向）させる制御信号が発信されるので、モータ２０のモータ軸３７に連係して軸体２２を高速で左回転させて時計方向に大きな径で公転させることができ、ダイヤル７３を右回転させた状態で引き金７２を引き操作すると、引き金を引いている時間だけモータ２０を右回転（モータ２０の回転方向がコマ玩具と逆方向）させる制御信号が発信されるので、モータ２０のモータ軸３７に連係して軸体２２は右回転しコマ玩具１は小さな径で公転移動するようになり、遊戯面５の中心に向かって移動するようになる。
【００４２】
上述のようにスタジアム２の遊戯面５上で回転するコマ玩具１の軸体２２の回転を制御することにより、遊戯面を公転しながら移動するコマ玩具１を遊戯面の外方に向かって移動させたり、中心に向かって移動させたりしてコマ玩具の動作態様を変化させることができるので、対戦相手のコマ玩具１’の攻撃を避けたり、コマ玩具１’に攻撃を仕掛けたりすることがプレイヤーの意志で自由に制御することができ、プレイヤーの意志が反映されたコマ玩具遊びを楽しむことができるので、成り行きに任せてスタジアム２の遊戯面５上でコマ玩具同士を対戦させて遊ぶ従来のコマ玩具遊びでは味わうことのできない面白さをプレイヤーに提供することができる。
【００４３】
【発明の効果】
請求項１の発明によれば、コマ玩具の内部に設けたモータのモータ軸にコマ玩具の軸体を設け、リモートコントローラ装置によりモータの正逆回転を遠隔操作することによりコマ玩具の動作態様にプレイヤーの意志を反映させることができ、対戦相手のコマ玩具に対する攻撃・防御を成り行きに任せて見守る従来のこま玩具では味わうことのない楽しさを享受することができる。
【００４４】
請求項２の発明によれば、コマ玩具をスタジアム上に落下させたとき軸体が受ける衝撃を緩和する緩衝機構を設けたので、軸体を介してモータに衝撃が加わることを防止できモータの破損を未然に防止することができる。
【００４５】
請求項３の発明によれば、上面が凹面鏡状に湾曲したスタジアム装置で他のコマ玩具と対戦させることにより、コマ玩具を公転させることができるのでより効果的な動作態様を発揮させることができる。
【００４６】
請求項４の発明によれば、リモートコントローラ装置にコマ玩具のスターター機構を設けることにより、コマ玩具に初期回転を与えることができ、別途スターター装置を用意することなくコマ玩具を回転させることができる。
【００４７】
請求項５の発明によれば、攻撃用リングを取り付けられるようにしたので、動作特性を変化させることにより攻撃用リングを有効に活用することができ、対戦相手のコマ玩具に対し有利なゲーム展開を図ることができる。
【図面の簡単な説明】
【図１】本発明に係る遠隔制御コマ玩具の構成を説明する斜視図
【図２】コマ玩具の構成を説明する分解斜視図
【図３】回転軸体の構成を説明する分解斜視図
【図４】上記回転軸体の構成を説明する要部断面図
【図５】コマ玩具の底面側斜視図
【図６】（ａ）（ｂ）はリモートコントローラ装置の正面図及び平面図
【図７】（ａ）（ｂ）はコマ玩具とリモートコントローラ装置のブロック図
【図８】（ａ）（ｂ）はコマ玩具がスタジアムに落下する状態を示す要部断面図
【図９】（ａ）（ｂ）はスタジアム上で回転するコマ玩具の動作態様を説明する平面図
【符号の説明】
１  コマ玩具
２  スタジアム
３  リモートコントローラ装置
２０  モータ
２２  軸体
２５  緩衝機構
３７  モータ軸
【図１】
0003588086.tif 000002
【図２】
0003588086.tif 000003
【図３】
0003588086.tif 000004
【図４】
0003588086.tif 000005
【図５】
0003588086.tif 000006
【図６】
0003588086.tif 000007
【図７】
0003588086.tif 000008
【図８】
0003588086.tif 000009
【図９】
0003588086.tif 000010